(57)【要約】【課題】編集済テープからランダムアクセス方式の記録装置にデータを取込む作業を効率化する。【解決手段】編集済テープの本編の先頭のＴＣ（タイムコード）値を記憶する記憶手段９と、編集済テープからランダムアクセス方式の記録装置２へのデータの取込を指示する操作手段５と、編集済テープを再生する再生装置１４，１５と記録装置２とを制御する制御手段５及び１２とを備え、制御手段５及び１２は、編集済テープから読取らせたＴＣ中の時の値が、記憶手段９内の本編の先頭のＴＣ値中の時の値と一致するかまたは１時間前の値である場合、操作手段５の操作に応じて、記憶手段９内の本編の先頭のＴＣ値から捨てカット及びプリロール分の時間を減じたＴＣ値の位置に再生装置１４，１５をキューアップさせて再生を開始させ、捨てカットの先頭以降の再生データを記録装置２に記録させる。【選択図】図２
2008084437.tif 000002
【特許請求の範囲】
【請求項１】
編集済みのビデオテープの本編部分の先頭位置のタイムコード値を設定情報として記憶する記憶手段と、
編集済みのビデオテープからランダムアクセス方式の記録装置へのデータの取り込みを指示するための操作手段と、
編集済みのビデオテープを再生する再生装置と、前記ランダムアクセス方式の記録装置とを制御する制御手段と
を備え、
前記制御手段は、
前記再生装置に、編集済みのビデオテープからタイムコードを読み取らせる第１の処理と、
前記第１の処理で読み取らせたタイムコード中の何時であるかを示す値が、前記記憶手段に記憶されている前記本編部分の先頭位置のタイムコード中の何時であるかを示す値と一致するかまたはその１時間前の値である、という条件を満たすか否かを判断する第２の処理と、
前記第２の処理において前記条件が満たされた場合、前記操作手段が操作されたことに応じて、前記記憶手段に記憶されている前記本編部分の先頭位置のタイムコード値から、所定の捨てカット及びプリロール部分の時間長を差し引いたタイムコード値の位置に前記再生装置をキューアップさせて再生を開始させるとともに、前記記憶手段に記憶されている前記本編部分の先頭位置のタイムコード値から前記捨てカットの時間長を差し引いたタイムコード値以降の再生データを前記ランダムアクセス方式の記録装置に記録させる第３の処理と
を行うことを特徴とするデータ取込制御システム。
【請求項２】
請求項１に記載のデータ取込制御システムにおいて、
前記捨てカットの時間長が、前記設定情報として前記記憶手段に記憶されていることを特徴とするデータ取込制御システム。
【請求項３】
請求項１に記載のデータ取込制御システムにおいて、
表示手段と、タイムコード値を入力するための入力手段とをさらに備えており、
前記第２の処理において前記条件が満たされなかった場合、前記制御手段は、取り込み開始点のタイムコード値を入力すべきことを示す通知を前記表示手段に表示させる処理と、前記入力手段でタイムコード値が入力されたことに応じて、該入力されたタイムコード値からプリロール部分の時間長を差し引いたタイムコード値の位置に前記再生装置をキューアップさせて再生を開始させるとともに、前記入力されたタイムコード値以降の再生データを前記ランダムアクセス方式の記録装置に記録させる処理とを行う
ことを特徴とするデータ取込制御システム。
【請求項４】
編集済みのビデオテープの本編部分の先頭位置のタイムコード値を設定情報として記憶する記憶手段と、
編集済みのビデオテープからランダムアクセス方式の記録装置へのデータの取り込みを指示するための操作手段と、
編集済みのビデオテープを再生する再生装置と、前記ランダムアクセス方式の記録装置とを制御する制御手段と
を備えた装置におけるデータ取込制御方法において、
前記制御手段が、前記再生装置に、編集済みのビデオテープからタイムコードを読み取らせる第１のステップと、
前記制御手段が、前記第１のステップで読み取らせたタイムコード中の何時であるかを示す値が、前記記憶手段に記憶されている前記本編部分の先頭位置のタイムコード中の何時であるかを示す値と一致するかまたはその１時間前の値である、という条件を満たすか否かを判断する第２のステップと、
前記制御手段が、前記第２のステップにおいて前記条件が満たされた場合、前記操作手段が操作されたことに応じて、前記記憶手段に記憶されている前記本編部分の先頭位置のタイムコード値から、所定の捨てカット及びプリロール部分の時間長を差し引いたタイムコード値の位置に前記再生装置をキューアップさせて再生を開始させるとともに、前記記憶手段に記憶されている前記本編部分の先頭位置のタイムコード値から前記捨てカットの時間長を差し引いたタイムコード値以降の再生データを前記ランダムアクセス方式の記録装置に記録させる第３のステップと
を有することを特徴とするデータ取込制御方法。
【発明の詳細な説明】
【技術分野】
【０００１】
本発明は、編集済みのビデオテープからランダムアクセス方式の記録装置にデータを取り込ませるシステム及び方法に関する。
【背景技術】
【０００２】
テレビジョン放送局では、一般に、取材等によって得た素材であるＡＶ（オーディオ・ビデオ）データを編集した後、その編集済みの素材を、送出用の大容量のＡＶサーバーである送出サーバーに取り込んでいる。そして、オンエア時には、その送出サーバーから編集済みの素材を送出している。
【０００３】
素材の編集には、ノンリニア編集とリニア編集とがある。リニア編集の場合には、図１Ａに示すように、ＶＴＲ内のビデオテープに記録された素材に対して、実際にオンエアする部分である本編部分の先頭位置，終了位置であるＳＯＭ（Start Of Message），ＥＯＭ（End Of Message）が指定される。
【０００４】
そして、この編集済みのビデオテープから送出サーバーに素材を取り込むときには、本編部分の前後の余裕部分である捨てカット（例えば１秒分）と、ＶＴＲの立ち上がりや他機との調相に要する数秒分のリード部分（プリロール部分）とを考慮して、このリード部分の先頭のテープ位置にキューアップしてビデオテープの再生を開始し、図１Ｂに示すように、ＳＯＭの手前の捨てカットの先頭位置からＥＯＭの後ろの捨てカットの終了位置までの素材を送出サーバーに記録させる。
【０００５】
編集済みのビデオテープのフォーマット（ＳＯＭのタイムコード値や、捨てカットの時間長等）は、同じ放送局内では、例えばＳＯＭは00:00:00:00であり捨てカットは１秒であるといったように統一されている。したがって、送出サーバーへの取り込み開始点（ＳＯＭの手前の捨てカットの先頭位置）のタイムコード値は、同じ放送局内で編集されたビデオテープでは、常に同じ（例えばＳＯＭが00:00:00:00であり捨てカットが１秒である場合には23:59:59:00）である。
【０００６】
ただし、異なる放送局同士の間は、編集済みのビデオテープのフォーマットは統一されているわけではない。例えば、ＳＯＭのタイムコード値は一般にＮ：00:00:00（Ｎは０〜２３の整数）すなわちちょうどＮ時というぴったりした値が用いられるが、00:00:00:00としている放送局もあれば、20:00:00:00としている放送局もある。したがって、異なる放送局同士の間では、送出サーバーへの取り込み開始点のタイムコード値は同じとは限らない。
【０００７】
従来、編集済みのビデオテープから送出サーバーに素材を取り込むときには、自己の放送局内で編集したビデオテープであるか他の放送局内で編集されたビデオテープであるかにかかわらず、オペレータがその都度この取り込み開始点のタイムコード値を入力する作業を行っていた。
【０００８】
しかし、送出サーバーには、自己の放送局内で編集したビデオテープから素材を取り込むことが多い。そして、前述のように、自己の放送局内で編集したビデオテープの取り込み開始点のタイムコード値は常に同じである。そのため、従来の取り込み作業では、取り込みを行う都度オペレータが同じタイムコード値を入力しなければならないことが多いので、作業が煩雑であり、非効率的であった。
【０００９】
なお、本出願人は、編集済みのビデオテープからＡＶサーバーに素材を取り込んだ後、編集点を微調整する作業を効率化するための発明を既に提案済みである（特許文献１）。しかし、編集済みのビデオテープからＡＶサーバーに素材を取り込む作業そのものを効率化するための発明は未だ提案されていない。
【００１０】
【特許文献１】特開２０００−３０８００１号公報
【発明の開示】
【発明が解決しようとする課題】
【００１１】
本発明は、上述の点に鑑み、編集済みのビデオテープからＡＶサーバーのようなランダムアクセス方式の記録装置にデータを取り込む作業を効率化することを課題とする。
【課題を解決するための手段】
【００１２】
上記課題を解決するため、本発明に係るデータ取込制御システムは、
編集済みのビデオテープの本編部分の先頭位置のタイムコード値を設定情報として記憶する記憶手段と、
編集済みのビデオテープからランダムアクセス方式の記録装置へのデータの取り込みを指示するための操作手段と、
編集済みのビデオテープを再生する再生装置と、このランダムアクセス方式の記録装置とを制御する制御手段と
を備え、
この制御手段は、
この再生装置に、編集済みのビデオテープからタイムコードを読み取らせる第１の処理と、
この第１の処理で読み取らせたタイムコード中の何時であるかを示す値が、この記憶手段に記憶されているこの本編部分の先頭位置のタイムコード中の何時であるかを示す値と一致するかまたはその１時間前の値である、という条件を満たすか否かを判断する第２の処理と、
この第２の処理においてこの条件が満たされた場合、この操作手段が操作されたことに応じて、この記憶手段に記憶されているこの本編部分の先頭位置のタイムコード値から、所定の捨てカット及びプリロール部分の時間長を差し引いたタイムコード値の位置にこの再生装置をキューアップさせて再生を開始させるとともに、この記憶手段に記憶されているこの本編部分の先頭位置のタイムコード値からこの捨てカットの時間長を差し引いたタイムコード値以降の再生データをこのランダムアクセス方式の記録装置に記録させる第３の処理と
を行うことを特徴とする。
【００１３】
また、本発明に係るデータ取込制御方法は、
編集済みのビデオテープの本編部分の先頭位置のタイムコード値を設定情報として記憶する記憶手段と、
編集済みのビデオテープからランダムアクセス方式の記録装置へのデータの取り込みを指示するための操作手段と、
編集済みのビデオテープを再生する再生装置と、このランダムアクセス方式の記録装置とを制御する制御手段と
を備えた装置におけるデータ取込制御方法において、
この制御手段が、この再生装置に、編集済みのビデオテープからタイムコードを読み取らせる第１のステップと、
この制御手段が、この第１のステップで読み取らせたタイムコード中の何時であるかを示す値が、この記憶手段に記憶されているこの本編部分の先頭位置のタイムコード中の何時であるかを示す値と一致するかまたはその１時間前の値である、という条件を満たすか否かを判断する第２のステップと、
この制御手段が、この第２のステップにおいてこの条件が満たされた場合、この操作手段が操作されたことに応じて、この記憶手段に記憶されているこの本編部分の先頭位置のタイムコード値から、所定の捨てカット及びプリロール部分の時間長を差し引いたタイムコード値の位置にこの再生装置をキューアップさせて再生を開始させるとともに、この記憶手段に記憶されているこの本編部分の先頭位置のタイムコード値からこの捨てカットの時間長を差し引いたタイムコード値以降の再生データをこのランダムアクセス方式の記録装置に記録させる第３のステップと
を有することを特徴とする。
【００１４】
上記発明では、編集済みのビデオテープの本編部分の先頭位置のタイムコード値が、記憶手段にデフォルトの設定情報として記憶される。そして、編集済みのビデオテープを再生する再生装置とランダムアクセス方式の記録装置とを制御する制御手段が、まず、再生装置に編集済みのビデオテープからタイムコードを読み取らせて、読み取られたタイムコード中の何時であるかを示す値（時・分・秒・フレームのうちの時の値）が、記憶手段内のこのデフォルトのタイムコード中の何時であるかを示す値と一致するかまたはその１時間前の値であるという条件を満たすか否かを判断する。
【００１５】
ここで、編集済みのビデオテープでは、現在のテープ位置は、編集終了直後の位置（図１の本編部分のＥＯＭよりも少し後ろの位置）のままか、または、その後図１の本編部分のＳＯＭよりも少し手前まで巻き戻した位置かのいずれかになっている。そして、ＳＯＭのタイムコード値は一般にＮ：00:00:00（Ｎは０〜２３の整数）すなわちちょうどＮ時というぴったりした値であり、且つ、本編部分の時間長は数分または十数分といった長さなので、ＥＯＭよりも少し後ろの位置のタイムコード中の何時であるかを示す値は、ＳＯＭのタイムコード中の何時であるかを示す値Ｎと一致し、ＳＯＭよりも少し手前の位置のタイムコード中の何時であるかを示す値は、ＳＯＭのタイムコード中の何時であるかを示す値Ｎよりも１時間前の値（Ｎ−１）になる。したがって、再生装置に装填されている編集済みビデオテープのＳＯＭのタイムコード値が、記憶手段にデフォルトとして記憶されているタイムコード値と同じである場合には、上記条件は満たされる。
【００１６】
具体的には、前述のように同じ放送局内では編集済みのビデオテープのフォーマット（ＳＯＭのタイムコード値や捨てカットの時間長）は統一されているので、自己の放送局におけるフォーマットを記憶手段にデフォルトとして記憶させれば、自己の放送局で編集したビデオテープが再生装置に装填されている場合、上記条件は満たされることになる。
【００１７】
そして、この条件が満たされた場合、編集済みのビデオテープからランダムアクセス方式の記録装置へのデータの取り込みを指示するための操作手段が操作されると、制御手段は、記憶手段内の本編部分の先頭位置のデフォルトのタイムコード値から、所定の捨てカット及びプリロール部分の時間長を差し引いたタイムコード値の位置に再生装置をキューアップさせて再生を開始させるとともに、このデフォルトのタイムコード値からこの捨てカットの時間長を差し引いたタイムコード値の以降の再生データをランダムアクセス方式の記録装置に記録させる。
【００１８】
このように、デフォルトと同じフォーマットの編集済みのビデオテープについては、ランダムアクセス方式の記録装置への取り込み開始点（図１のＳＯＭの手前の捨てカットの先頭位置）のタイムコード値を入力する作業を行うことなく、取り込みを指示する操作を行うだけで、ランダムアクセス方式の記録装置へのデータの取り込みが開始される。
【００１９】
これにより、編集済みのビデオテープからランダムアクセス方式の記録装置にデータを取り込む作業を効率化することができる。
【発明の効果】
【００２０】
本発明によれば、編集済みのビデオテープからランダムアクセス方式の記録装置にデータを取り込む作業を効率化することができるという効果が得られる。
【発明を実施するための最良の形態】
【００２１】
以下、本発明の実施の形態を図面を用いて具体的に説明する。図２は、本発明を適用したテレビジョン放送局内のＡＶサーバーシステムの構成例を示す図である。このＡＶサーバーシステムでは、素材サーバー１と、低解像度用サーバー３と、ファイル変換端末４と、収録端末５と、編集端末６と、プレイアウトマネージャー端末７と、ファイル変換端末８と、データベース端末９と、素材管理端末１０と、送出端末１１と、ＩＤＣ（Intelligent Device Controller）１２とが、ギガビットイーサネット（登録商標）のようなネットワーク１３で接続されている。
【００２２】
ＩＤＣ１２には、送出（プレイアウト）サーバー２と、放送局内のＶＴＲ１４，１５とがＲＳ４２２ケーブルで接続されている。送出サーバー２は、ＳＤＩ(Serial Digital Interface)に対応したエンコーダ及びデコーダを内蔵している。ＩＤＣ１２は、ＶＴＲ１４，１５をＶＴＲプロトコルで制御するとともに送出サーバー２をＤＩＳＫプロトコルで制御して、ＳＤＩフォーマットのシリアルデジタル信号をフレーム精度を保ってＶＴＲ１４，１５から再生させて送出サーバー２に記録させるデバイスコントローラである。
【００２３】
素材サーバー１，送出サーバー２，低解像度用サーバー３は、それぞれＲＡＩＤ（Redundant Arrays of Inexpensive Disks）技術を用いた大容量のＡＶサーバーである。素材サーバー１は、編集対象の素材（ＡＶデータ）を記憶するために用いられる。送出サーバー２は、送出対象の素材を記憶するために用いられる。低解像度用サーバー３は、素材サーバー１，送出サーバー２内の各ＡＶデータに１対１に対応した低解像度のＡＶデータ（プロキシ画像用のＡＶデータ）を記憶するために用いられる。
【００２４】
各端末４〜１１は、それぞれコンピュータ（パーソナルコンピュータあるいはワークステーション）から成っている。
【００２５】
データベース端末９は、素材サーバー１及び送出サーバー２に記憶されている素材のリストや、ＡＶサーバーシステムの設定状況の情報等を保持する端末である。
【００２６】
収録端末５，編集端末６，素材管理端末１０，送出端末１１は、それぞれ素材の収録，ノンリニア編集，管理（削除を含む），送出を行うためのオペレーション端末である。
【００２７】
ファイル変換端末４は、収録端末５での操作に基づき、放送局と中継現場等とを結ぶ回線（図示略）やＶＴＲ１４，１５からこのＡＶサーバーシステムに供給されるＳＤＩフォーマットのシリアルデジタル信号を、高解像度の画像ファイル及び低解像度のファイルに変換して、高解像度のファイルを素材サーバー１に記録させるとともに、低解像度のファイルを低解像度用サーバー３に記録させたり収録端末５に送るバックグラウンド用の端末である。なお、ＶＴＲ１４やＶＴＲ１５でリニア編集された素材は、収録端末５での操作に基づいて直接送出サーバー２に記録させることもできる。
【００２８】
ファイル変換端末８は、編集端末６での編集操作に基づき、編集対象となった複数のファイルを素材サーバー１から受信し、編集内容に基づいて加工及び一本化したファイルを作成した後、それに対応する低解像度のファイルを作成し、それらのファイルを送出サーバー２及び低解像度用サーバー３に記録させるバックグラウンド用の端末である。
【００２９】
プレイアウトマネージャー端末７は、送出端末１１での送出操作に基づき、送出サーバー２から、送出対象のファイルをＳＤＩフォーマットのシリアルデジタル信号にエンコードして放送施設内のルーチィングスイッチャ（図示略）に出力させるバックグラウンド用の端末である。
【００３０】
データベース端末９には、設定状況の情報の一種として、自己の放送局における編集済みのビデオテープのフォーマットの情報と、自己の放送局が系列放送局になっているキー放送局における編集済みのビデオテープのフォーマットの情報とがデフォルトとして記憶されている。図３は、データベース端末９に記憶されているこのフォーマット情報を示す図である。自己の放送局では、編集済みのビデオテープの本編部分の先頭位置であるＳＯＭ（図１参照）のタイムコード値は00:00:00:00になっており、本編部分の前後の捨てカット（図１参照）の時間長は１秒になっており、これらの値がデータベース端末９に記憶されている。また、キー放送局では、ＳＯＭのタイムコード値は10:00:00:00になっており、本編部分の前後の捨てカットの時間長は１秒＋１フレームになっており、これらの値がデータベース端末９に記憶されている。
【００３１】
図４は、図２の収録端末５に表示されるＧＵＩ（グラフィカルユーザーインタフェース）画面のうち、任意の１台のＶＴＲ（図２ではＶＴＲ１４，１５のうちのいずれか）をタブによって選択して、そのＶＴＲでリニア編集された素材を直接送出サーバー２に記録させるためのＧＵＩ画面を示す図である。このＧＵＩ画面には、ＲＥＣボタン２１と、ＳＴＯＰボタン２２と、取り込み開始点のタイムコード値を入力すべきことをオペレータに通知するための表示部２３と、取り込み開始点のタイムコード値を入力するための入力欄２４と、取り込み終了点のタイムコード値を入力するための入力欄２５と、現在再生中の素材のプロキシ画像及びそのタイムコード値が表示される表示欄２６とが含まれている。
【００３２】
図５は、収録端末５内のＣＰＵが、ＶＴＲでリニア編集された素材を直接送出サーバー２に記録させるために実行する処理を示すフローチャートである。この処理は、図４のＧＵＩ画面が開かれるとスタートし、最初に、このＧＵＩ画面で選択されているＶＴＲ内の編集済みのビデオテープからタイムコードを読み取らせるコマンドを、ＩＤＣ１２（図２）に送る（ステップＳ１）。そして、ＩＤＣ１２がそのコマンドに基づいて当該ＶＴＲにタイムコードを読み取らせ、読み取られたタイムコードの値がＩＤＣ１２から返送されると、そのタイムコードの値を、内部のメモリに一時的に記憶する（ステップＳ２）。
【００３３】
続いて、データベース端末９から、図３に例示したような編集済みビデオテープのデフォルトのフォーマット情報（自己の放送局及びキー放送局における編集済みビデオテープのフォーマットの情報）を取得する（ステップＳ３）。そして、ステップＳ１及びＳ２でＶＴＲに読み取らせて一時記憶したタイムコード中の何時であるかを示す値（時・分・秒・フレームのうちの時の値）が、ステップＳ３で取得したフォーマット情報中のいずれかのフォーマットにおけるＳＯＭのタイムコード中の何時であるかを示す値と一致するかまたはその１時間前の値である、という条件が満たされているか否かを判断する（ステップＳ４）。
【００３４】
ここで、編集済みのビデオテープでは、現在のテープ位置は、編集終了直後の位置（図１の本編部分のＥＯＭよりも少し後ろの位置）のままか、または、その後図１の本編部分のＳＯＭよりも少し手前まで巻き戻した位置かのいずれかになっている。そして、図６に示すように、ＳＯＭのタイムコード値は一般にＮ：00:00:00（Ｎは０〜２３の整数）すなわちちょうどＮ時というぴったりした値であり、且つ、本編部分の時間長は数分または十数分といった長さなので、ＥＯＭよりも少し後ろの位置のタイムコード中の何時であるかを示す値は、ＳＯＭのタイムコード中の何時であるかを示す値Ｎと一致し、ＳＯＭよりも少し手前の位置のタイムコード中の何時であるかを示す値は、ＳＯＭのタイムコード中の何時であるかを示す値Ｎよりも１時間前の値（Ｎ−１）になる。したがって、データベース端末９にデフォルトとして記憶されている自己の放送局，キー放送局のフォーマットのうちのいずれかと同じフォーマットの編集済みビデオテープ（すなわち自己の放送局で編集したかまたはキー放送局で編集されたビデオテープ）が当該ＶＴＲに装填されている場合には、上記条件は満たされる。
【００３５】
ステップＳ４で条件を満たすと、ＲＥＣボタン２１（図４）がクリックされるまで待機する（ステップＳ５）。そして、ＲＥＣボタン２１がクリックされると、データベース端末９に記憶されているフォーマットのうち、ステップＳ４で条件を満たしたほうのフォーマットにおけるＳＯＭのタイムコード値から、当該フォーマットにおける捨てカットの時間長と、プリロール部分の時間長（数秒）とを差し引いたタイムコード値の位置に当該ＶＴＲをキューアップさせて再生を開始させるコマンドを、ＩＤＣ１２に送る（ステップＳ６）。また、当該フォーマットにおけるＳＯＭの手前の捨てカットの先頭位置のタイムコード値以降の再生データを送出サーバー２に記録させるコマンドを、ＩＤＣ１２に送る（ステップＳ７）。
【００３６】
そして、ＩＤＣ１２の制御により当該ＶＴＲから再生された後ファイル変換端末４で低解像度のファイルに変換された映像（プロキシ画像）及び現在のタイムコード値を、表示欄２６（図４）に表示する（ステップＳ８）。
【００３７】
続いて、入力欄２５（図４）に取り込み終了点のタイムコード値が入力されているか否かを判断する（ステップＳ９）。ノーであれば、表示欄２６に、ＳＴＯＰボタン２２（図４）のクリックによって記録が終了することを通知するための「ＳＴＯＰ」という文字をスーパ表示する（ステップＳ１０）。続いて、ＳＴＯＰボタン２２がクリックされるまで待機する（ステップＳ１１）。そして、ＳＴＯＰボタン２２がクリックされると、当該ＶＴＲに再生を終了させるコマンドをＩＤＣ１２に送る（ステップＳ１２）とともに、送出サーバー２に記録を終了させるコマンドをＩＤＣ１２に送り（ステップＳ１３）、処理を終了する。
【００３８】
ステップＳ９でイエスであれば、入力欄２５に入力されたタイムコード値のデータが当該ＶＴＲで再生されるまで待機する（ステップＳ１４）。そして、前述のステップＳ１２及びＳ１３を経て、処理を終了する。
【００３９】
他方、ステップＳ４で条件を満たさなかった場合（すなわち自己の放送局やキー放送局以外で編集されたビデオテープが当該ＶＴＲに装填されている場合）には、表示部２３（図４）を点灯させることにより、取り込み開始点のタイムコード値を入力すべきことを通知する（ステップＳ１５）。続いて、入力欄２４（図４）にタイムコード値が入力され且つＲＥＣボタン２１がクリックされるまで待機する（ステップＳ１６）。
【００４０】
そして、入力欄２４にタイムコード値が入力され且つＲＥＣボタン２１がクリックされると、入力欄２４に入力されたタイムコード値からプリロール部分の時間長（数秒）とを差し引いたタイムコード値の位置に当該ＶＴＲをキューアップさせて再生を開始させるコマンドを、ＩＤＣ１２に送る（ステップＳ１７）。また、入力欄２４に入力されたタイムコード値以降の再生データを送出サーバー２に記録させるコマンドを、ＩＤＣ１２に送る（ステップＳ１８）。そして、前述のステップＳ８以下の処理を実行する。
【００４１】
次に、このＡＶサーバーシステムにおいて、収録端末５のオペレータが、自己の放送局で編集したビデオテープやキー放送局で編集されたビデオテープから送出サーバー２に素材を取り込む作業について説明する。例えば自己の放送局で編集したビデオテープがＶＴＲ１４に装填されており、収録端末５のオペレータが図４のＧＵＩ画面でＶＴＲ１４を選択したとする。
【００４２】
すると、図５の処理においてステップＳ４でイエスとなってステップＳ５に進むので、オペレータがＲＥＣボタン２１をクリックすると、ステップＳ６により、ＶＴＲ１４が、自己の放送局における編集済みビデオテープのフォーマットでのＳＯＭのタイムコード値である00:00:00:00（図３）から当該フォーマットでの捨てカットの時間長１秒（図３）とプリロール部分の時間長（数秒）とを差し引いたタイムコード値の位置にキューアップして再生を開始する。また、ステップＳ７により、当該フォーマットでのＳＯＭのタイムコード値00:00:00:00から当該フォーマットでの捨てカットの時間長１秒を差し引いたタイムコード値23:59:59:00のテープ位置以降の再生データが、送出サーバー２に記録される。
【００４３】
そして、その後ＳＴＯＰボタン２２をクリックするか、あるいは予め取り込み終了点のタイムコード値を入力欄２５に入力しておくと、ステップＳ９以下の処理により、ＶＴＲ１４の再生及び送出サーバー２への記録が終了する。
【００４４】
また、例えばキー放送局で編集したビデオテープがＶＴＲ１５に装填されており、収録端末５のオペレータが図４のＧＵＩ画面でＶＴＲ１５を選択したとする。
【００４５】
すると、図５の処理においてステップＳ４でイエスとなってステップＳ５に進むので、オペレータがＲＥＣボタン２１をクリックすると、ステップＳ６により、ＶＴＲ１５が、キー放送局における編集済みビデオテープのフォーマットでのＳＯＭのタイムコード値である10:00:00:00（図３）から当該フォーマットでの捨てカットの時間長１秒＋１フレーム（図３）とプリロール部分の時間長（数秒）とを差し引いたタイムコード値の位置にキューアップして再生を開始する。また、ステップＳ７により、当該フォーマットでのＳＯＭのタイムコード値10:00:00:00から当該フォーマットでの捨てカットの時間長１秒＋１フレームを差し引いたタイムコード値09:59:58:59のテープ位置以降の再生データが、送出サーバー２に記録される。
【００４６】
そして、その後ＳＴＯＰボタン２２をクリックするか、あるいは予め取り込み終了点のタイムコード値を入力欄２５に入力しておくと、ステップＳ９以下の処理により、ＶＴＲ１５の再生及び送出サーバー２への記録が終了する。
【００４７】
このように、自己の放送局で編集したビデオテープやキー放送局で編集されたビデオテープについては、送出サーバー２への取り込み開始点（図１のＳＯＭの手前の捨てカットの先頭位置）のタイムコード値を入力する作業を行うことなく、ＲＥＣボタン２１をクリックする（取り込みを指示する操作を行う）だけで、送出サーバー２への素材の取り込みが開始される。
【００４８】
これにより、編集済みのビデオテープから送出サーバー２に素材を取り込む作業を効率化することができる。
【００４９】
なお、自己の放送局やキー放送局以外で編集されたビデオテープをＶＴＲ１４やＶＴＲ１５に装填してそのビデオテープから送出サーバー２に素材を取り込む場合でも、たまたまそのビデオテープのＳＯＭのタイムコード値が00:00:00:00または10:00:00:00であった場合（自己の放送局またはキー放送局における編集済みビデオテープのフォーマットでのＳＯＭのタイムコード値と一致していた場合）には、やはり、図５の処理においてステップＳ４でイエスとなってステップＳ５に進むので、送出サーバー２への取り込み開始点のタイムコード値を入力する作業を行うことなく、ＲＥＣボタン２１をクリックするだけで、送出サーバー２への素材の取り込みが開始される。
【００５０】
そして、その場合には、捨てカットの時間長は、強制的に１秒または１秒＋１フレーム（自己の放送局またはキー放送局におけるフォーマットでの捨てカットの時間長）に揃えられるので、元々のフォーマットとは異なるものになる場合もある。しかし、捨てカット自体は、本編部分の前後の余裕部分なので、元々のフォーマットとは異なる時間長になっても一定の時間長が確保されていれば問題はない。
【００５１】
また、自己の放送局やキー放送局以外で編集されたビデオテープをＶＴＲ１４やＶＴＲ１５に装填してそのビデオテープから送出サーバー２に素材を取り込む場合であって、そのビデオテープのＳＯＭのタイムコード値が自己の放送局やキー放送局における編集済みビデオテープのフォーマットでのＳＯＭのタイムコード値と一致していなかった場合（例えば20:00:00:00というような値であった場合）には、図５の処理においてステップＳ４でノーとなってステップＳ１５に進むので、オペレータは、表示部２３での通知により、従来どおり取り込み開始点のタイムコード値を入力すべきことに気づく。そして、入力欄２４に取り込み開始点のタイムコード値を入力した後ＲＥＣボタン２１をクリックすると、ステップＳ１６〜Ｓ１８により、ＶＴＲ１４やＶＴＲ１５の再生と送出サーバー２への記録とが開始される。
【００５２】
なお、以上の例では、データベース端末９に、自己の放送局とキー放送局という２つの放送局における編集済みのビデオテープのフォーマットの情報をデフォルトとして記憶している。しかし、別の例として、自己の放送局における編集済みのビデオテープのフォーマットの情報のみをデフォルトとしてデータベース端末９に記憶させたり、自己の放送局を含む３つ以上の放送局における編集済みのビデオテープのフォーマットの情報をデフォルトとしてデータベース端末９に記憶させてもよい。
【００５３】
また、以上の例では、データベース端末９に、編集済みのビデオテープのフォーマットの情報として、編集済みのビデオテープの本編部分の先頭位置であるＳＯＭ（図１参照）のタイムコード値と、本編部分の前後の捨てカットの時間長とを記憶している。しかし、別の例として、編集済みのビデオテープのフォーマットの情報として、ＳＯＭのタイムコード値のみをデータベース端末９に記憶させてもよい。そして、その場合には、図５の処理のステップＳ６，Ｓ７では、ＳＯＭのタイムコード値から、捨てカットの時間長として常に一定の時間長（例えば１秒）を差し引くようにすればよい。
【００５４】
あるいはまた、編集済みのビデオテープのフォーマットの情報として、ＳＯＭのタイムコード値及び捨てカットの時間長に加えて、プリロール部分の時間長もデータベース端末９に記憶させてもよい。そして、その場合には、図５の処理のステップＳ６では、ＳＯＭのタイムコード値から、プリロール部分の時間長として、データベース端末９に記憶されているプリロール部分の時間長のうち当該ＳＯＭのタイムコード値と同じフォーマットでのプリロール部分の時間長を差し引くようにすればよい。
【００５５】
また、以上の例ではＡＶサーバーシステムに本発明を適用しているが、本発明は、編集済みのビデオテープからランダムアクセス方式の記録装置にデータを取り込ませるあらゆるシステムに適用してよい。
【図面の簡単な説明】
【００５６】
【図１】編集済みのビデオテープのデータのうち、送出サーバーに記録させる範囲を示す図である。
【図２】本発明を適用したＡＶサーバーシステムの構成例を示す図である。
【図３】データベース端末に記憶されている編集済みビデオテープのフォーマットの情報を示す図である。
【図４】収録端末に表示されるＧＵＩ画面を示す図である。
【図５】収録端末が実行する処理を示すフローチャートである。
【図６】編集済みビデオテープのタイムコード中の時間の値を示す図である。
【符号の説明】
【００５７】
１  素材サーバー、  ２  送出サーバー、  ３  低解像度用サーバー、  ４  ファイル変換端末、  ５  収録端末、  ６  編集端末、  ７  プレイアウトマネージャー端末、  ８  ファイル変換端末、  ９  データベース端末、  １０  素材管理端末、  １１  送出端末、  １２  ＩＤＣ、  １３  ネットワーク、  １４，１５  ＶＴＲ、  ２１  ＲＥＣボタン、  ２２  ＳＴＯＰボタン、  ２３  表示部、  ２４  入力欄、  ２５  入力欄、  ２６  表示欄
【図１】
2008084437.tif 000003
【図２】
2008084437.tif 000004
【図３】
2008084437.tif 000005
【図５】
2008084437.tif 000006
【図６】
2008084437.tif 000007
【図４】
2008084437.tif 000008